(57)【要約】【課題】本発明は、機械的な締結部を金属部材で構成することにより強固な締結ができる、ゴムのクリープが少なく、締結部の緩みが生じない可とう継手を提供する。【解決手段】固定部３は、伸縮ゴム部２の幅方向Ｗの両側に、かつ伸縮ゴム部２の長手方向Ｌに各々複数（８個）配置されて、伸縮ゴム部２と一体に成形されている。また、固定部３は伸縮ゴム部２の長手方向Ｌに等間隔に配置されている。固定部３は台形形状で、下底よりも長さの短い上底側が伸縮ゴム部２の幅方向Ｗの内側に配置されている。固定部３には、固定部３を貫通する貫通孔（ボルト孔）３１が形成されている。固定部３の厚さは伸縮ゴム部２の厚さと同一に形成されている。また、隣接する固定部３の間は、伸縮ゴム部２で相互に連結されている。【選択図】図１
2019218762.tif 000002
【特許請求の範囲】
【請求項１】
構造物間の継ぎ目に沿って配置される可とう継手において、
前記構造物間の継ぎ目に沿い、前記継ぎ目に跨がって配置される帯状の伸縮ゴム部と、
前記伸縮ゴム部の幅方向の両側に一体に成形され、かつ前記伸縮ゴム部の長手方向に複数個配置され、前記伸縮ゴム部の幅方向の両側を前記構造物に固定するための金属製の固定部と
からなることを特徴とする可とう継手。
【請求項２】
請求項１に記載の可とう継手において、
前記固定部は、前記伸縮ゴム部の長手方向に等間隔に配置されている
ことを特徴とする可とう継手。
【請求項３】
請求項２に記載の可とう継手において、
隣接する前記固定部の間は、前記伸縮ゴム部で相互に連結されている
ことを特徴とする可とう継手。
【請求項４】
請求項２又は３に記載の可とう継手において、
前記固定部には、前記固定部を貫通する貫通孔が形成されている
ことを特徴とする可とう継手。
【請求項５】
請求項４に記載の可とう継手において、
前記固定部の厚さは前記伸縮ゴム部の厚さと同一に形成されている
ことを特徴とする可とう継手。
【発明の詳細な説明】
【技術分野】
【０００１】
本発明は、道路、橋梁、樋門等の構造物間の継ぎ目を連結する可とう継手に関する。更に詳しくは、構造物間の不当沈下や伸縮を吸収すると同時に、止水接続装置として使用されるゴムで作られた可とう継手に関する。
【背景技術】
【０００２】
一般的な可とう継手は、全体がゴムで作られており、鋼材で作られた板状の押さえ金具、ワッシャ、ボルト、ナット等で構造物に固定される。しかしながら、ゴムの締結部は、クリープにより時間の経過とともに歪みが増大し締結力が弱くなり、漏水の原因となる。また、従来の板状の押さえ金具等で締結する方法は、ゴムに水圧が加わると、締結部、屈曲部に応力が集中し、ゴム厚が薄くなり、漏水の原因となり、耐久性にも影響を与える。このために締結部を鋼材等の金属で構成する方法も提案されている（特許文献１）。しかしながら、長いゴムと長い鋼材を一体に成形して焼成する場合、焼成炉が長くなり、さらに、長い製品の輸送が困難である等の問題がある。
【先行技術文献】
【特許文献】
【０００３】
【特許文献１】特開２００７−１００３４８号公報
【発明の概要】
【発明が解決しようとする課題】
【０００４】
本発明は、以上のような背景で発明されたものであり、以下の目的を達成するものである。
本発明の目的は、機械的な締結部を金属部材で構成することにより強固な締結ができる可とう継手を提供することにある。
本発明の他の目的は、ゴムのクリープが少なく、締結部の緩みが生じない可とう継手を提供することにある。
本発明の更に他の目的は、連続的に成形が可能で、かつ、輸送が容易な可とう継手を提供することにある。
【課題を解決するための手段】
【０００５】
本発明は、前記課題を解決するために、次の手段を採る。
即ち、本発明１の可とう継手は、構造物間の継ぎ目に沿って配置される可とう継手において、前記構造物間の継ぎ目に沿い、前記継ぎ目に跨がって配置される帯状の伸縮ゴム部と、前記伸縮ゴム部の幅方向の両側に一体に成形され、かつ前記伸縮ゴム部の長手方向に複数個配置され、前記伸縮ゴム部の幅方向の両側を前記構造物に固定するための金属製の固定部とからなることを特徴とする。
【０００６】
本発明２の可とう継手は、本発明１において、前記固定部は、前記伸縮ゴム部の長手方向に等間隔に配置されていることを特徴とする。
本発明３の可とう継手は、本発明２において、隣接する前記固定部の間は、前記伸縮ゴム部で相互に連結されていることを特徴とする。
本発明４の可とう継手は、本発明２又は３において、前記固定部には、前記固定部を貫通する貫通孔が形成されていることを特徴とする。
【０００７】
本発明５の可とう継手は、本発明４において、前記固定部の厚さは前記伸縮ゴム部の厚さと同一に形成されていることを特徴とする。
【発明の効果】
【０００８】
本発明の可とう継手は、金属製の固定部を構造物に固定するため、クリープが無く、締結力が維持されるため漏水の恐れが無くなる。また、伸縮ゴム部に水圧が加わっても、締結部、屈曲部に応力が集中しないため、ゴム厚が維持され、漏水の恐れが無く、耐久性も向上する。また、長さが短い金属製の固定部を伸縮ゴム部に一体成形するため、成形が容易である。
【図面の簡単な説明】
【０００９】
【図１】図１は、本発明の第１の実施の形態の可とう継手を示す全体斜視図である。
【図２】図２は、図１の可とう継手を構造物間の継ぎ目に取り付けた状態を示す縦断面図である。
【図３】図３は、本発明の第２の実施の形態の可とう継手を示す全体斜視図である。
【図４】図４は、図３の可とう継手を構造物間の継ぎ目に取り付けた状態を示す縦断面図である。
【図５】図５は、本発明の第３の実施の形態の可とう継手を示す全体斜視図である。
【図６】図６は、図５の可とう継手を構造物間の継ぎ目に取り付けた状態を示す縦断面図である。
【図７】図７は、本発明の第４の実施の形態の可とう継手を示す全体斜視図である。
【図８】図８は、本発明の第５の実施の形態の可とう継手を示す全体斜視図である。
【図９】図９は、本発明の第６の実施の形態の可とう継手を示す全体斜視図である。
【発明を実施するための形態】
【００１０】
〔可とう継手の第１の実施の形態〕
以下、本発明の第１の実施の形態を図面に基づいて説明する。図１は本発明の第１の実施の形態の可とう継手を示す全体斜視図である。図１に示すように、本発明の第１の実施の形態の可とう継手１Ａは、帯状の伸縮ゴム部２と金属製の固定部３で構成されている。伸縮ゴム部２の幅方向Ｗの中央部には、構造物間の不当沈下や伸縮を吸収するための円弧状部２１が形成されている。固定部３は、伸縮ゴム部２の幅方向Ｗの両側に、かつ伸縮ゴム部２の長手方向Ｌに各々複数（８個）配置されて、伸縮ゴム部２と一体に成形されている。また、固定部３は伸縮ゴム部２の長手方向Ｌに等間隔に配置されている。固定部３は台形形状で、下底よりも長さの短い上底側が伸縮ゴム部２の幅方向Ｗの内側に配置されている。固定部３には、固定部３を貫通する貫通孔（ボルト孔）３１が形成されている。固定部３の厚さは伸縮ゴム部２の厚さと同一に形成されている。また、隣接する固定部３の間は、伸縮ゴム部２で相互に連結されている。
【００１１】
図２は図１の可とう継手１Ａを構造物間の継ぎ目に取り付けた状態を示す縦断面図である。図２に示すように、隣接するコンクリート製の構造物４１、４２の継ぎ目４３には目地材４４が挿入されている。この継ぎ目４３に沿い、継ぎ目４３に跨がって可とう継手１Ａを配置する。構造物４１、４２にはアンカーボルト５１、５１が埋め込まれている。このアンカーボルト５１、５１の上部を固定部３、３の貫通孔３１、３１に通す。次に、ワッシャ５３を介して、ナット５２をアンカーボルト５１、５１の上部の雄ねじにねじ込めば、可とう継手１Ａを構造物４１、４２に固定することができる。このようにして、可とう継手１Ａを構造物４１、４２間の継ぎ目４３に取り付ければ、構造物間の不当沈下や伸縮を吸収すると同時に、止水接続装置として使用することができる。
【００１２】
〔可とう継手の第２の実施の形態〕
以下、本発明の第２の実施の形態を図面に基づいて説明する。図３は本発明の第２の実施の形態の可とう継手を示す全体斜視図である。図３に示すように、本発明の第２の実施の形態の可とう継手１Ｂは、帯状の伸縮ゴム部２と金属製の固定部３Ｂで構成されている。伸縮ゴム部２の幅方向Ｗの中央部には、構造物間の不当沈下や伸縮を吸収するための円弧状部２１が形成されている。固定部３Ｂは、伸縮ゴム部２の幅方向Ｗの両側に、かつ伸縮ゴム部２の長手方向Ｌに各々複数（８個）配置されて、伸縮ゴム部２と一体に成形されている。また、固定部３Ｂは伸縮ゴム部２の長手方向Ｌに等間隔に配置されている。固定部３Ｂは台形形状で、下底よりも長さの短い上底側が伸縮ゴム部２の幅方向Ｗの内側に配置されている。第１の実施の形態の固定部３とは異なり、第２の実施の形態の固定部３Ｂには、固定部３Ｂを貫通する貫通孔３１は形成されていない。固定部３Ｂの厚さは伸縮ゴム部２の厚さと同一に形成されている。また、隣接する固定部３Ｂの間は、伸縮ゴム部２で相互に連結されている。すなわち、第２の実施の形態の可とう継手１Ｂと第１の実施の形態の可とう継手１Ａの相違点は、固定部３を貫通する貫通孔３１の有無だけである。
【００１３】
図４は図３の可とう継手１Ｂを構造物間の継ぎ目に取り付けた状態を示す縦断面図である。図４に示すように、隣接するコンクリート製の構造物４１、４２の継ぎ目４３には目地材４４が挿入されている。この継ぎ目４３に沿い、継ぎ目４３に跨がって可とう継手１Ｂを配置する。構造物４１、４２の上面には金属製のアンカープレート５４、５４が埋め込まれている。このアンカープレート５４、５４に固定部３Ｂ、３Ｂを溶接すれば、可とう継手１Ｂを構造物４１、４２に固定することができる。このようにして、可とう継手１Ｂを構造物４１、４２間の継ぎ目４３に取り付ければ、構造物間の不当沈下や伸縮を吸収すると同時に、止水接続装置として使用することができる。
【００１４】
〔可とう継手の第３の実施の形態〕
以下、本発明の第３の実施の形態を図面に基づいて説明する。図５は本発明の第３の実施の形態の可とう継手を示す全体斜視図である。図５に示すように、本発明の第３の実施の形態の可とう継手１Ｃは、帯状の伸縮ゴム部２Ｃと金属製の固定部３Ｃで構成されている。伸縮ゴム部２Ｃの幅方向Ｗの中央部には、構造物間の不当沈下や伸縮を吸収するための円弧状部２１Ｃが形成されている。固定部３Ｃは、伸縮ゴム部２の幅方向Ｗの両側に、かつ伸縮ゴム部２Ｃの長手方向Ｌに各々複数（１５個）配置されて、伸縮ゴム部２Ｃと一体に成形されている。また、固定部３Ｃは伸縮ゴム部２Ｃの長手方向Ｌに等間隔に配置されている。固定部３Ｃは伸縮ゴム部２Ｃの長手方向Ｌの長さが短い長方形で、先端が先細りに形成された側が、伸縮ゴム部２Ｃの幅方向Ｗの内側に配置されている。第１の実施の形態の固定部３とは異なり、第３の実施の形態の固定部３Ｃには、固定部３Ｃを貫通する貫通孔３１は形成されていない。固定部３Ｃの厚さは伸縮ゴム部２Ｃの厚さと同一に形成されている。また、第１の実施の形態の固定部３とは異なり、隣接する固定部３Ｃの間は、伸縮ゴム部２Ｃで連結されていない。
【００１５】
図６は図５の可とう継手１Ｃを構造物間の継ぎ目に取り付けた状態を示す縦断面図である。図６に示すように、隣接するコンクリート製の構造物４１、４２の継ぎ目４３には目地材４４が挿入されている。この継ぎ目４３に沿い、継ぎ目４３に跨がって可とう継手１Ｃを配置する。構造物４１、４２にはアンカーボルト５１、５１が埋め込まれている。固定部３Ｃ、３Ｃには、固定部３Ｃ、３Ｃを貫通する貫通孔（ボルト孔）３１Ｃ（図５の２点鎖線参照）を現場で形成する。このアンカーボルト５１、５１の上部を固定部３Ｃ、３Ｃの貫通孔３１Ｃ、３１Ｃに通す。次に、金属製の押さえ金具（伸縮ゴム部２Ｃの長手方向Ｌの長さと同一長さに形成されている）５５、ワッシャ５３を介して、ナット５２をアンカーボルト５１、５１の上部の雄ねじにねじ込めば、可とう継手１Ｃを構造物４１、４２に固定することができる。このようにして、可とう継手１Ｃを構造物４１、４２間の継ぎ目４３に取り付ければ、構造物間の不当沈下や伸縮を吸収すると同時に、止水接続装置として使用することができる。
【００１６】
〔可とう継手の第４の実施の形態〕
以下、本発明の第４の実施の形態を図面に基づいて説明する。図７は本発明の第４の実施の形態の可とう継手を示す全体斜視図である。図７に示すように、本発明の第４の実施の形態の可とう継手１Ｄは、帯状の伸縮ゴム部２Ｄと金属製の固定部３Ｄで構成されている。伸縮ゴム部２Ｄの幅方向Ｗの中央部には、構造物間の不当沈下や伸縮を吸収するための円弧状部２１Ｄが形成されている。固定部３Ｄは、伸縮ゴム部２Ｄの幅方向Ｗの両側に、かつ伸縮ゴム部２Ｄの長手方向Ｌに各々複数（８個）配置されて、伸縮ゴム部２Ｄと一体に成形されている。また、固定部３Ｄは伸縮ゴム部２Ｄの長手方向Ｌに等間隔に配置されている。固定部３Ｄは台形形状で、下底よりも長さの短い上底側が伸縮ゴム部２Ｄの幅方向Ｗの外側に配置されている。第４の実施の形態の固定部３Ｄには、固定部３Ｄを貫通する貫通孔３１Ｄが形成されている。固定部３Ｄの厚さは伸縮ゴム部２Ｄの厚さと同一に形成されている。また、隣接する固定部３Ｄの間は、伸縮ゴム部２Ｄで相互に連結されている。すなわち、第４の実施の形態の可とう継手１Ｄと第１の実施の形態の可とう継手１Ａの相違点は、第４の実施の形態の固定部３Ｄは、下底よりも長さの短い上底側が伸縮ゴム部２Ｄの幅方向Ｗの外側に配置されていることである。
【００１７】
〔可とう継手の第５の実施の形態〕
以下、本発明の第５の実施の形態を図面に基づいて説明する。図８は本発明の第５の実施の形態の可とう継手を示す全体斜視図である。図８に示すように、本発明の第５の実施の形態の可とう継手１Ｅは、帯状の伸縮ゴム部２Ｅと金属製の固定部３Ｅで構成されている。伸縮ゴム部２Ｅの幅方向Ｗの中央部には、構造物間の不当沈下や伸縮を吸収するための円弧状部２１Ｅが形成されている。固定部３Ｅは、伸縮ゴム部２Ｅの幅方向Ｗの両側に、かつ伸縮ゴム部２Ｅの長手方向Ｌに各々複数（８個）配置されて、伸縮ゴム部２Ｅと一体に成形されている。また、固定部３Ｅは伸縮ゴム部２Ｅの長手方向Ｌに等間隔に配置されている。固定部３Ｅは台形形状で、下底よりも長さの短い上底側が伸縮ゴム部２Ｅの幅方向Ｗの外側に配置されている。第５の実施の形態の固定部３Ｅには、固定部３Ｅを貫通する貫通孔は形成されていない。固定部３Ｅの厚さは伸縮ゴム部２Ｅの厚さと同一に形成されている。また、隣接する固定部３Ｅの間は、伸縮ゴム部２Ｅで相互に連結されている。すなわち、第５の実施の形態の可とう継手１Ｅと第２の実施の形態の可とう継手１Ｂの相違点は、第５の実施の形態の固定部３Ｅは、下底よりも長さの短い上底側が伸縮ゴム部２Ｅの幅方向Ｗの外側に配置されていることである。
【００１８】
〔可とう継手の第６の実施の形態〕
以下、本発明の第６の実施の形態を図面に基づいて説明する。図９は本発明の第６の実施の形態の可とう継手を示す全体斜視図である。図９に示すように、本発明の第６の実施の形態の可とう継手１Ｆは、帯状の伸縮ゴム部２Ｆと金属製の固定部３Ｆで構成されている。伸縮ゴム部２Ｆの幅方向Ｗの中央部には、構造物間の不当沈下や伸縮を吸収するための円弧状部２１Ｆが形成されている。固定部３Ｆは、伸縮ゴム部２Ｆの幅方向Ｗの両側に、かつ伸縮ゴム部２Ｆの長手方向Ｌに各々複数（８個）配置されて、伸縮ゴム部２Ｆと一体に成形されている。また、固定部３Ｆは伸縮ゴム部２Ｆの長手方向Ｌに等間隔に配置されている。固定部３Ｆは四角形である。第６の実施の形態の固定部３Ｆには、固定部３Ｆを貫通する貫通孔３１Ｆが形成されている。固定部３Ｆの厚さは伸縮ゴム部２Ｆの厚さと同一に形成されている。また、隣接する固定部３Ｆの間は、伸縮ゴム部２Ｆで相互に連結されている。すなわち、第６の実施の形態の可とう継手１Ｆと第１の実施の形態の可とう継手１Ａの相違点は、第６の実施の形態の固定部３Ｆの形状が四角形であることである。
【００１９】
本発明の実施の形態の可とう継手１Ａ、１Ｂ、１Ｃ、１Ｄ、１Ｅ、１Ｆは、金属製の固定部３、３Ｂ、３Ｃ、３Ｄ、３Ｅ、３Ｆを構造物４１、４２に固定するため、クリープが無く、締結力が維持されるため漏水の恐れが無くなる。また、伸縮ゴム部２、２Ｃ、２Ｄ、２Ｅ、２Ｆに水圧が加わっても、締結部、屈曲部に応力が集中しないため、ゴム厚が維持され、漏水の恐れが無く、耐久性も向上する。また、伸縮ゴム部２、２Ｃ、２Ｄ、２Ｅ、２Ｆの長手方向Ｌの長さが短い金属製の固定部３、３Ｂ、３Ｃ、３Ｄ、３Ｅ、３Ｆを伸縮ゴム部２、２Ｃ、２Ｄ、２Ｅ、２Ｆに一体成形するため、成形が容易である。さらに、可とう継手１Ａ、１Ｂ、１Ｃ、１Ｄ、１Ｅ、１Ｆは、曲げたり変形させることが容易なため、輸送が容易で、屈曲部に使用することも可能となる。
【００２０】
以上、本発明の実施例を説明したが、本発明はこの実施例に限定されることはない。例えば、前述した実施例では、固定部は台形や長方形に形成されているが、三角形や円形等のその他の形状に形成してもよい。また、同一形状の固定部を複数配置しているが、異なる形状の固定部を複数配置してもよい。さらに、固定部を伸縮ゴム部の長手方向に等間隔に配置しているが、伸縮ゴム部の長手方向に不等間隔に配置してもよい。
【符号の説明】
【００２１】
１Ａ、１Ｂ、１Ｃ、１Ｄ、１Ｅ、１Ｆ…可とう継手
２、２Ｃ、２Ｄ、２Ｅ、２Ｆ…伸縮ゴム部
２１、２１Ｃ、２１Ｄ、２１Ｅ、２１Ｆ…円弧状部
３、３Ｂ、３Ｃ、３Ｄ、３Ｅ、３Ｆ…固定部
３１、３１Ｃ、３１Ｄ、３１Ｅ、３１Ｆ…貫通孔（ボルト孔）
４１、４２…構造物
４３…継ぎ目
４４…目地材
５１…アンカーボルト
５２…ナット
５３…ワッシャ
５４…アンカープレート
５５…押さえ金具
【図１】
2019218762.tif 000003
【図２】
2019218762.tif 000004
【図３】
2019218762.tif 000005
【図４】
2019218762.tif 000006
【図５】
2019218762.tif 000007
【図６】
2019218762.tif 000008
【図７】
2019218762.tif 000009
【図８】
2019218762.tif 000010
【図９】
2019218762.tif 000011